(57)【要約】【課題】外部磁界が印加されても記録媒体上のデータの消去させない磁気ヘッドを提供する。【解決手段】浮上面から後退した磁性体からなる外部磁界シールド３０を、補助磁極３を主磁極１とで挟みこむように形成する。【選択図】図１
2006018927.tif 000002
【特許請求の範囲】
【請求項１】
主磁極と、
前記主磁極のリーディング側に形成された補助磁極と、
前記補助磁極のリーディング側に形成された外部磁界シールドとを有し、
前記外部磁界シールドの媒体側の端面は、媒体対向面から後退した位置にあることを特徴とする磁気ヘッド。
【請求項２】
請求項１記載の磁気ヘッドにおいて、前記外部磁界シールドの媒体側の端面と媒体対向面の間には非磁性材料が充填されていることを特徴とする磁気ヘッド。
【請求項３】
請求項１記載の磁気ヘッドにおいて、前記補助磁極と前記外部磁界シールドとの間に、下部再生シールドと、上部再生シールドと、前記上部再生シールドと下部再生シールドの間に形成された磁気抵抗効果素子とを有する再生ヘッドを備えることを特徴とする磁気ヘッド。
【請求項４】
請求項３記載の磁気ヘッドにおいて、媒体対向面から前記外部磁界シールドの媒体側端面までの距離は、前記外部磁界シールドと前記下部再生シールドとの間の距離より短いことを特徴とする磁気ヘッド。
【請求項５】
請求項３記載の磁気ヘッドにおいて、前記外部磁界シールドのトラック幅方向の幅は前記補助磁極、前記下部シールドおよび前記上部シールドのトラック幅方向の幅以上であることを特徴とする磁気ヘッド。
【請求項６】
請求項３記載の磁気ヘッドにおいて、前記外部磁界シールドの素子高さ方向の高さ位置は前記補助磁極、前記下部シールドおよび前記上部シールドの素子高さ方向の高さ位置より高いことを特徴とする磁気ヘッド。
【請求項７】
請求項１記載の磁気ヘッドにおいて、前記外部磁界シールドは、素子高さ方向の長さがトラック幅方向の長さ以下であることを特徴とする磁気ヘッド。
【請求項８】
主磁極と、
前記主磁極のトレーリング側に形成された補助磁極と、
前記補助磁極のトレーリング側に形成された外部磁界シールドとを有し、
前記外部磁界シールドの媒体側端面は、媒体対向面から後退した位置にあることを特徴とする磁気ヘッド。
【請求項９】
請求項８記載の磁気ヘッドにおいて、前記外部磁界シールドの媒体側端面と媒体対向面の間には非磁性材料が充填されていることを特徴とする磁気ヘッド。
【請求項１０】
請求項８記載の磁気ヘッドにおいて、前記主磁極のリーディング側に、下部再生シールドと、上部再生シールドと、前記上部再生シールドと下部再生シールドの間に形成された磁気抵抗効果素子とを有する再生ヘッドを備えることを特徴とする磁気ヘッド。
【請求項１１】
請求項１０記載の磁気ヘッドにおいて、媒体対向面から前記外部磁界シールドの媒体側端面までの距離は、前記外部磁界シールドと前記補助磁極との間の距離より短いことを特徴とする磁気ヘッド。
【請求項１２】
請求項１０記載の磁気ヘッドにおいて、前記外部磁界シールドのトラック幅方向の幅は前記補助磁極、前記下部シールドおよび前記上部シールドのトラック幅方向の幅以上であることを特徴とする磁気ヘッド。
【請求項１３】
請求項１０記載の磁気ヘッドにおいて、前記外部磁界シールドの素子高さ方向の高さ位置は前記補助磁極、前記下部シールドおよび前記上部シールドの素子高さ方向の高さ位置より高いことを特徴とする磁気ヘッド。
【請求項１４】
請求項８記載の磁気ヘッドにおいて、前記外部磁界シールドは、素子高さ方向の長さがトラック幅方向の長さ以下であることを特徴とする磁気ヘッド。
【請求項１５】
磁気記録層と軟磁性裏打ち層とを備える磁気記録媒体と、
前記磁気記録媒体を駆動する媒体駆動部と、
前記磁気記録媒体に対して記録再生を行う磁気ヘッドと、
前記磁気ヘッドを前記磁気記録媒体に対して駆動する磁気ヘッド駆動部とを備え、
前記磁気ヘッドは、
主磁極と前記主磁極のリーディング側に形成された補助磁極を有する記録ヘッドと、
前記補助磁極のリーディング側に形成された外部磁界シールドと、
下部再生シールドと、上部再生シールドと、前記上部再生シールドと下部再生シールドの間に形成された磁気抵抗効果素子とを有して前記補助磁極と前記外部磁界シールドとの間に形成された再生ヘッドとを有し、
前記外部磁界シールドの媒体側の端面は、媒体対向面から後退した位置にあることを特徴とする磁気記録再生装置。
【請求項１６】
請求項１５記載の磁気記録再生装置において、前記外部磁界シールドの媒体側の端面と媒体対向面の間には非磁性材料が充填されていることを特徴とする磁気記録再生装置。
【請求項１７】
請求項１５記載の磁気記録再生装置において、媒体対向面から前記外部磁界シールドの媒体側端面までの距離は、前記外部磁界シールドと前記下部再生シールドとの間の距離より短いことを特徴とする磁気記録再生装置。
【請求項１８】
請求項１５記載の磁気記録再生装置において、前記外部磁界シールドのトラック幅方向の幅は前記補助磁極、前記下部シールドおよび前記上部シールドのトラック幅方向の幅以上であることを特徴とする磁気記録再生装置。
【請求項１９】
請求項１５記載の磁気記録再生装置において、前記外部磁界シールドの素子高さ方向の高さ位置は前記補助磁極、前記下部シールドおよび前記上部シールドの素子高さ方向の高さ位置より高いことを特徴とする磁気記録再生装置。
【請求項２０】
請求項１５記載の磁気記録再生装置において、前記外部磁界シールドは、素子高さ方向の長さがトラック幅方向の長さ以下であることを特徴とする磁気記録再生装置。
【請求項２１】
磁気記録層と軟磁性裏打ち層とを備える磁気記録媒体と、
前記磁気記録媒体を駆動する媒体駆動部と、
前記磁気記録媒体に対して記録再生を行う磁気ヘッドと、
前記磁気ヘッドを前記磁気記録媒体に対して駆動する磁気ヘッド駆動部とを備え、
前記磁気ヘッドは、
主磁極と前記主磁極のトレーリング側に形成された補助磁極を有する記録ヘッドと、
前記補助磁極のトレーリング側に形成された外部磁界シールドと、
下部再生シールドと、上部再生シールドと、前記上部再生シールドと下部再生シールドの間に形成された磁気抵抗効果素子とを有して前記主磁極のリーディング側に形成された再生ヘッドとを有し、
前記外部磁界シールドの媒体側端面は、媒体対向面から後退した位置にあることを特徴とする磁気記録再生装置。
【請求項２２】
請求項２１記載の磁気ヘッドにおいて、前記外部磁界シールドの媒体側端面と媒体対向面の間には非磁性材料が充填されていることを特徴とする磁気ヘッド。
【請求項２３】
請求項２１記載の磁気ヘッドにおいて、媒体対向面から前記外部磁界シールドの媒体側端面までの距離は、前記外部磁界シールドと前記補助磁極との間の距離より短いことを特徴とする磁気ヘッド。
【請求項２４】
請求項２１記載の磁気ヘッドにおいて、前記外部磁界シールドのトラック幅方向の幅は前記補助磁極、前記下部シールドおよび前記上部シールドのトラック幅方向の幅以上であることを特徴とする磁気ヘッド。
【請求項２５】
請求項２１記載の磁気ヘッドにおいて、前記外部磁界シールドの素子高さ方向の高さ位置は前記補助磁極、前記下部シールドおよび前記上部シールドの素子高さ方向の高さ位置より高いことを特徴とする磁気ヘッド。
【請求項２６】
請求項２１記載の磁気ヘッドにおいて、前記外部磁界シールドは、素子高さ方向の長さがトラック幅方向の長さ以下であることを特徴とする磁気ヘッド。
【発明の詳細な説明】
【技術分野】
【０００１】
本発明は、垂直磁気記録用磁気ヘッド及びその垂直磁気記録用磁気ヘッドを搭載した磁気記録再生装置に関するものである。
【背景技術】
【０００２】
磁気記録再生装置は磁気記録媒体と磁気ヘッドを備え、磁気記録媒体上のデータは磁気ヘッドによって読み書きされる。磁気記録媒体の単位面積当たりの記録容量を大きくするためには、面記録密度を高める必要がある。しかしながら、現状の面内記録方式では、記録されるビット長が小さくなると、媒体の磁化の熱揺らぎのために面記録密度を上げられない問題がある。この問題を解決できるものとして、媒体に垂直な方向に磁化信号を記録する垂直記録方式がある。
【０００３】
垂直記録方式には、記録媒体として軟磁性の裏打層を備えた二層垂直媒体を用いる方式と、裏打層を有さない単層垂直媒体を用いる方式の２種類がある。記録媒体として二層垂直媒体を用いる場合には、主磁極と補助磁極とを備えたいわゆる単磁極ヘッドを用いて記録を行う必要がある。この場合、より強い磁界を媒体に印加することができる。主磁極の浮上面形状は、ヘッドにスキュー角がついた場合を考慮して、リーディング側の幅が狭い台形形状とするのが望ましい。図５は、従来の単磁極ヘッドを備える磁気ヘッドの構造を示す略図である。図５に示すように、従来の磁気ヘッドは、ヘッドの走行方向側（リーディング側）から、下部シールド８、再生素子７、上部シールド９、補助磁極３、薄膜コイル２、主磁極１の順に積層されている。下部シールド８、再生素子７、上部シールド９は再生ヘッド２４を構成し、補助磁極３、薄膜コイル２、主磁極１は記録ヘッド（単磁極ヘッド）２５を構成する。記録媒体は、磁気記録層１９の下に軟磁性の裏打ち層２０を備える。また、特開２００３−４５００８号公報には、主磁極の上にギャップ膜を介して、媒体対向面から後退した外部磁界用のシールドを設けた単磁極ヘッドが記載されている。
【０００４】
【特許文献１】特開２００３−４５００８号公報
【特許文献２】特開２００２−１９７６１９号公報
【特許文献３】特開平０５−１０１３４１号公報
【発明の開示】
【発明が解決しようとする課題】
【０００５】
本発明は、主磁極と補助磁極を有する垂直磁気記録用ヘッドと、裏打ち層を有する二層垂直磁気記録媒体とを用いる垂直磁気記録系に関するものである。図５に示した磁気ヘッドは、再生素子と主磁極の間に補助磁極と薄膜コイルが存在するため、記録再生間隔が大きくなりフォーマット効率が劣化するという欠点がある。そのため、図６に示すように、補助磁極３を主磁極１のトレーリング側に配置する構造が適用されようとされている。この構造にすることにより、記録再生間隔を小さくできる。
【０００６】
また、記録ヘッド磁界の強度と共に記録ビットセルの境界を記録するヘッド磁界垂直成分プロファイルにおける磁界勾配、すなわち、ヘッド走行方向のヘッド磁界垂直成分プロファイルの磁界勾配も高い記録密度を実現するための重要な要素である。今後、さらに高い記録密度を達成するためには、さらに磁界勾配を増大しなければならない。記録磁界勾配を向上させるために、主磁極１のトレーリング側に磁性体３２を配置する構造がある。この構造の場合にも、閉磁路を形成するには補助磁極３を図６のように主磁極１のトレーリング側に配置することが望ましい。
【０００７】
このような裏打ち層を有する垂直磁気記録系において、浮遊（外部）磁界の影響を受けて媒体上の記録データが消去される現象がある。特に本発明は、外部磁界が媒体面に平行に印加された場合の記録データ消去の問題に対応するものである。図７は、ハードディスクドライブ（ＨＤＤ）にコイルにより５０Ｏｅの外部磁界を印加した場合の、ヘッド構造とディスク上のデータ消去位置を示した図である。外部磁界はディスクと平行に印加されている。データ消去の位置は３０μｍ離れており、これは、本実験で用いた補助磁極、再生シールド（上部シールド、下部シールド）の幅に相当する。図８は、媒体面に平行に外部磁界が印加された時に補助磁極に対向する磁気記録層中心での磁界を３次元磁界計算により示したものである。補助磁極の端部で磁界が大きくなることがわかる。
【０００８】
以上の事から、外部磁界によって補助磁極、再生シールドの端部でデータ消去が起こると考えられる。外部磁界が媒体面に平行に印加された場合は、裏打ち層に吸い込まれた磁束が補助磁極、再生シールドに流れる事を考えなければならない。特許文献１においても、外部磁界が媒体面に平行に印加された場合に、裏打ち層に吸い込まれた磁束が補助磁極、再生シールドに流れることについては考慮されていない。この問題は垂直磁気記録を用いたＨＤＤを実現するために解決しなくてはならない問題である。
【０００９】
そこで、本発明は、ＨＤＤに媒体面に平行な外部磁界が印加されてもデータの消去が生じない磁気ヘッドを提供し、それによって高密度の磁気記録再生装置を提供することを目的とする。
【課題を解決するための手段】
【００１０】
本発明による磁気ヘッドは、下部シールド、上部シールド、及び下部シールドと上部シールドの間に挟まれた磁気抵抗効果素子を有する再生ヘッドと、主磁極及び補助磁極を有する記録ヘッドとを備え、さらに補助磁極を主磁極とで挟み込むように配置された磁性体からなる外部磁界シールドを備える。外部磁界シールドは、ＨＤＤ内に浮遊する磁界を吸収し、また、裏打ち層の磁束を吸収し、補助磁極、下部シールド、上部シールドから漏洩する磁界を減少させて、磁気記録層に印加される磁界を減少させる機能を有する。
【発明の効果】
【００１１】
本発明によると、外部磁界がＨＤＤに印加された場合に、特に、外部磁界がＨＤＤの媒体と平行に印加された場合に、補助磁極、下部シールド、上部シールドから漏洩する磁界を減少することができ、磁気記録層の記録ビットの劣化、消去をもたらさない、記録ヘッド及びそれを搭載した磁気ディスク装置を提供できる。
【発明を実施するための最良の形態】
【００１２】
以下、図面を参照して本発明の実施の形態を説明する。以下の図においては、理解を容易にするため、同じ機能部分には同一の符号を付して説明する。
【００１３】
図９は、本発明による磁気記録再生装置の概念図である。磁気記録再生装置は、モータ２８によって回転する磁気ディスク（磁気記録媒体）１１上の所定位置に、サスペンションアーム１２の先端に固定されたスライダー１３に搭載された磁気ヘッドによって磁化信号の記録再生を行う。ロータリアクチュエータ１５を駆動することにより、磁気ヘッドの磁気ディスク半径方向の位置（トラック）を選択することができる。磁気ヘッドへの記録信号及び磁気ヘッドからの読み出し信号は信号処理回路３５ａ，３５ｂにて処理される。
【００１４】
図１は、本発明による磁気ヘッドの一例を示す断面模式図である。また、図２は図１に示した磁気ヘッドを浮上面からみた概略構造図であり、図３は概略平面図である。
【００１５】
この磁気ヘッドは、主磁極１と補助磁極３とを備えた記録ヘッド２５と、再生素子７を備えた再生ヘッド２４を有する記録再生複合ヘッドである。主磁極１と補助磁極３とは浮上面から離れた位置でピラー１７によって磁気的に接続され、主磁極１、補助磁極３、ピラー１７によって構成される磁気回路に薄膜コイル２が鎖交している。巨大磁気抵抗効果素子（ＧＭＲ）やトンネル磁気抵抗効果型素子（ＴＭＲ）などからなる再生素子７は、リーディング側の下部シールド８とトレーリング側の上部シールド９からなる一対の磁気シールド（再生シールド）間に配置されている。主磁極１は補助磁極３のトレーリング側に配置されている。ヘッド浮上面から後退した位置に、磁性体からなる外部磁界シールド３０が配置されている。本例では、主磁極１と外部磁界シールド３０によって補助磁極３、下部シールド８、上部シールド９が挟み込まれるように各部材が配置されている。
【００１６】
図４は、本発明による磁気ヘッドの他の例を示す断面模式図である。図４に示した磁気ヘッドは、記録ヘッド２５中の主磁極１と補助磁極３の配置が図１に示した磁気ヘッドと異なり、主磁極１を補助磁極３のリーディング側に配置している。また、主磁極１のトレーリング側には磁界勾配を増加させるために磁性体３２を配置している。ヘッド浮上面から後退した位置に配置されている磁性体からなる外部磁界シールド３０は、補助磁極３を主磁極１と共に挟みこむように形成されている。
【００１７】
図５に示したような従来構造のヘッドは、ＨＤＤに外部磁界が印加された場合、補助磁極３、下部シールド８、上部シールド９から磁界が漏洩し、磁気記録層１９上のデータを消去してしまう問題を生じる。そこで、本発明では、補助磁極３を主磁極１とで挟み込むように、図１の例では補助磁極３のリーディング側に、図４の例では補助磁極３のトレーリング側に磁性体からなる外部磁界シールド３０を浮上面から後退させて設ける。本発明は補助磁極３、上下シールド８，９の端部より発生する磁界を減少させるのが目的であり、主磁極１より補助磁極３に近い方に外部磁界シールド３０を配置している。このような構造にすることにより、補助磁極３から漏洩する磁界を減少し、磁気記録層１９に記録された情報の消去を防ぐことができる。
【００１８】
図５に示した従来構造の磁気ヘッドに対して、３次元磁界計算により、補助磁極端部から磁気記録層１９に印加される磁界を計算した。この計算においては、主磁極１の記録トラック幅は１５０ｎｍ、主磁極の膜厚は２００ｎｍとした。主磁極の材料としてはＣｏＮｉＦｅを想定した。補助磁極３は、飽和磁束密度が１．０Ｔの材料を想定し、大きさは、トラック幅方向の幅を３０μｍ、素子高さ方向の長さを１６μｍ、膜厚を２μｍとした。上部シールド９、下部シールド８は、飽和磁束密度が１．０Ｔの８０ａｔ％Ｎｉ−２０ａｔ％Ｆｅを想定し、大きさは、トラック幅方向の幅を３０μｍ、素子高さ方向の長さは１６μｍ、膜厚を１．５μｍとした。磁気記録媒体の裏打ち層２０の材料としてはＣｏＴａＺｒを想定し、ヘッド浮上面から裏打ち層２０の表面までの距離は４０ｎｍ、裏打ち層２０の膜厚は３００ｎｍとした。
【００１９】
図５に示す従来構造の磁気ヘッドの場合、３次元磁界計算によると、補助磁極端部から磁気記録層１９に印加される磁界の最大値は３．４１×１０５Ａ／ｍとなった。この記録層位置に印加される磁界は、記録ビットの劣化あるいは消去をもたらす。
【００２０】
図１に示した本発明の構造の磁気ヘッドに対しても、３次元磁界計算により、同様に補助磁極端部から磁気記録層１９に印加される磁界を計算した。図１に示す本発明の磁気ヘッドは、図５に示す従来構造の磁気ヘッドに対して外部磁界シールド３０を付加したものである。外部磁界シールド３０は、補助磁極３との間隔は１５μｍ、トラック幅方向の幅は１００μｍ、素子高さ方向の長さは５０μｍ、膜厚は２μｍとした。また、外部磁界シールド３０の材料としては、８０ａｔ％Ｎｉ−２０ａｔ％Ｆｅを想定し、飽和磁束密度は１．０Ｔ、比透磁率は１５００としたが、熱膨張係数の小さい４５ａｔ％Ｎｉ−５５ａｔ％Ｆｅなどを用いてもよい。また、ＣｏＮｉＦｅ等の他の軟磁性膜を用いても良い。外部磁界シールド３０は浮上面より１μｍ後退させてある。リセスした部分にはアルミナＡｌ２Ｏ３が埋め込まれている。この条件で計算すると、補助磁極端部から磁気記録層に印加される磁界の最大値は２．１５×１０５Ａ／ｍとなった。
【００２１】
図１１は、３次元磁界計算によるトラック幅方向の磁界分布を示す図である。外部磁界シールド３０を備える図１に示した本発明の磁気ヘッドによると、図５に示した従来構造の磁気ヘッドより約３０％の磁界強度の減少が達成できることが分かる。
【００２２】
本発明の効果を得るためには、外部磁界シールド３０の幅を、補助磁極３、上下シールド８，９のいずれの幅よりも広くする必要がある。また、外部磁界シールド３０のヘッド浮上面からの後退量は、外部磁界シールド３０に対面する補助磁極３もしくは上部、下部シールド８，９までの距離より小さいことが望ましい。これは、外部磁界シールド３０と補助磁極３もしくは上部、下部シールド８，９までの距離が外部磁界シールド３０の先端から浮上面までの距離より小さい場合、磁気記録媒体の裏打ち層２０と外部磁界シールド３０の間の磁気抵抗より、外部磁界シールド３０と補助磁極３、上部、下部シールド間８，９の間の磁気抵抗が小さくなり、外部磁界シールド３０が吸収した磁束が補助磁極３、もしくは、上部、下部シールド８，９に流れてしまうからである。
【００２３】
図１２は、外部磁界シールド３０の浮上面からの後退量と、補助磁極３の端部からの磁界と外部磁界シールド３０の端部からの磁界の最大値との関係を示したものである。外部磁界シールド３０の後退量が小さくなると、補助磁極３の端部からの磁界は小さくなるものの外部磁界シールド３０の端部からの磁界が大きくなってしまう。後退量が０の場合には、外部磁界シールド３０を配置しない場合に補助磁極３の端部より漏洩する磁界より大きな磁界が外部磁界シールド３０から漏洩する。したがって、後退量は１μｍ程度が望ましい。特許文献２、３には浮上面から後退させていない磁性体が配置されているが、浮上面から後退させてない場合、その磁性体自体の端部から磁界が漏洩し、データの消去を起こしてしまうため、本発明の効果は得られない。
【００２４】
図１３は、外部磁界シールド３０と補助磁極３の間隔と補助磁極３の端部から磁気記録媒体の磁気記録層１９に印加される磁界との関係を示した図である。外部磁界シールド３０と補助磁極３の間隔が狭くなるにつれて、補助磁極３の端部から磁気記録層に印加される磁界は小さくなる。しかし、あまり小さくなると外部磁界シールド３０が吸収した磁束が、補助磁極３、下部シールド８、上部シールド９に流れてしまうことが分かっている。したがって、外部磁界シールド３０と補助磁極３の間隔は５μｍ以上あることが望ましい。
【００２５】
また、本発明では、より外部磁界シールド３０に裏打ち層２０からの磁束を吸収させるために、外部磁界シールド３０の透磁率は、補助磁極３、下部シールド８、上部シールド９の透磁率以上であることが望ましい。例えば、補助磁極３、下部シールド８、上部シールド９の材料が４５ａｔ％Ｎｉ−５５ａｔ％Ｆｅ，８０ａｔ％Ｎｉ−２０ａｔ％Ｆｅの場合、外部磁界シールドの材料には８０ａｔ％Ｎｉ−２０ａｔ％Ｆｅ等のＮｉ含有量が多い材料を用いるのが好ましい。
【００２６】
また、外部磁界シールド３０が素子高さ方向に長い場合、外部磁界が磁気ディスクに垂直に印加された場合、外部磁界シールド３０から漏洩する磁界が大きくなってしまう。そこで、外部磁界シールド３０の素子高さ方向の長さはトッラク幅方向の長さ以下であることが望ましい。これは、以下の理由による。外部磁界シールド３０は磁性体であり、端部には磁極がある。磁極は磁性体（外部磁界シールド３０）の外部にも内部にも磁界を作るが、内部の磁界、いわゆる反磁界は印加された磁界と反対向きになる。この反磁界は磁性体（外部磁界シールド３０）の磁化に比例し、比例定数（反磁界係数）は磁性体の形状だけできまる。外部磁界シールド３０が素子高さ方向に長い場合、形状効果により反磁界係数が小さくなる。このため、より外部磁界シールド３０からの漏洩する磁界が磁界大きくなる。これに対して、トッラク幅方向の長さを素子高さ方向の長さに対して大きくすることにより、形状効果により反磁界係数を大きくできので外部磁界シールド３０内の反磁界を大きくできる。その結果、外部磁界シールドが、磁気ディスク装置に浮遊している外部磁界を吸い込み、それが外部磁界シールド３０から磁気記録層に漏洩することを減少できる。
【００２７】
図１０に、垂直記録用磁気ヘッド１４と磁気ディスク１１との関係及び垂直記録の概略を示す。記録ヘッド２５の主磁極１から出た磁界は磁気ディスク媒体１１の磁気記録層１９、軟磁性裏打ち層２０を通り、補助磁極３に入る磁気回路を形成し、磁気記録層１９に磁化パターンを記録する。磁気記録層１９と軟磁性裏打ち層２０の間には中間層が形成されている場合もある。再生ヘッド２４の再生素子７には巨大磁気抵抗効果素子（ＧＭＲ）やトンネル磁気抵抗効果型素子（ＴＭＲ）などが用いられる。
【００２８】
図１４は、本発明による磁気ヘッドの他の例を示す断面模式図である。この例に示す磁気ヘッドは、一対の外部磁界シールド３０，３１を記録ヘッド２５、再生ヘッド２４の両方を挟み込むように浮上面から後退させて形成した。記録ヘッドの補助磁極３は主磁極１のリーディング側に配置されている。この構造にすることにより、補助磁極３、下部シールド８、上部シールド９から記録媒体に印加される磁界を低減することができる。
【００２９】
図１５は、本発明による磁気ヘッドの更に他の例を示す断面模式図である。本例に示す磁気ヘッドも、一対の外部磁界シールド３０，３１を、記録ヘッド２５、再生ヘッド２４の両方を挟み込むように浮上面から後退させて形成している。記録ヘッド２５の補助磁極３を主磁極１のトレーリング側に配置し、記録磁界勾配を向上させるために、主磁極１のトレーリング側に磁性体３２を配置した点で図１４に示した磁気ヘッドと異なる。この構造にしても、補助磁極３、下部シールド８、上部シールド９から記録媒体に印加される磁界を低減することができる。
【図面の簡単な説明】
【００３０】
【図１】本発明による磁気ヘッドの一例を示す断面模式図。
【図２】本発明による磁気ヘッドを浮上面からみた模式図。
【図３】本発明による磁気ヘッドの平面模式図。
【図４】本発明による磁気ヘッドの他の例を示す断面模式図。
【図５】従来の磁気ヘッドの構造を示す図。
【図６】別の磁気ヘッドの構造を示す図。
【図７】従来の磁気ヘッドにおけるトラック幅方向位置と出力減少量との関係を示す図。
【図８】従来の磁気ヘッドに外部磁界が印加された時に補助磁極から磁気記録層に印加される磁界を示した図。
【図９】磁気記録再生装置の概略図。
【図１０】垂直記録の概略説明図。
【図１１】本発明による磁気ヘッドに外部磁界が印加された時に補助磁極から磁気記録層に印加される磁界を示した図。
【図１２】本発明による磁気ヘッドに外部磁界が印加された時に補助磁極／下部シールド／上部シールドから磁気記録層に印加される磁界と外部磁界シールドの後退量との関係を示した図。
【図１３】本発明による磁気ヘッドに外部磁界が印加された時に補助磁極／下部シールド／上部シールドから磁気記録層に印加される磁界と外部磁界シールドと補助磁極の距離との関係を示した図。
【図１４】本発明による磁気ヘッドの他の例を示す断面模式図。
【図１５】本発明による磁気ヘッドの他の例を示す断面模式図。
【符号の説明】
【００３１】
１…主磁極、２…薄膜導体コイル、３…補助磁極、７…再生素子、８…下部シールド、９…上部シールド、１１…磁気ディスク、１２…サスペンションアーム、１３…磁気ヘッドスライダー、１５…ロータリアクチュエータ、１７…ピラー、１９…磁気記録層、２０…裏打ち層、２４…再生ヘッド、２５…記録ヘッド、３２…磁性体、３５…パッケージボード、３０…外部磁界シールド、３１…外部磁界シールド
【図１】
2006018927.tif 000003
【図２】
2006018927.tif 000004
【図３】
2006018927.tif 000005
【図４】
2006018927.tif 000006
【図５】
2006018927.tif 000007
【図６】
2006018927.tif 000008
【図７】
2006018927.tif 000009
【図８】
2006018927.tif 000010
【図９】
2006018927.tif 000011
【図１０】
2006018927.tif 000012
【図１１】
2006018927.tif 000013
【図１２】
2006018927.tif 000014
【図１３】
2006018927.tif 000015
【図１４】
2006018927.tif 000016
【図１５】
2006018927.tif 000017